(57)【要約】【課題】形状記憶樹脂の基本特性を活かし、耐久性及び適用性に優れた形状記憶樹脂製部材と、それを使用した風呂用マットレスを提供する。【解決手段】温水使用環境下でガラス転移点を示すポリマー構造材料からなる形状記憶樹脂を用いて形成した形状記憶樹脂製材と、該形状記憶樹脂製材に結合された部材を含む、また、形状記憶樹脂製部材とする風呂用マットレスにおいて形状記憶樹脂製部材のうち一部、或いは全部に形状記憶樹脂製材を用い、また、形状記憶樹脂製材は温水使用環境下でガラス転移点を示すポリマー構造材料からなる。【選択図】図１
2005154610.tif 000002
【特許請求の範囲】
【請求項１】
温水使用環境下でガラス転移点を示すポリマー構造材料からなる形状記憶樹脂を用いて形成した形状記憶樹脂製材と、該形状記憶樹脂製材に結合された部材を含むことを特徴とする形状記憶樹脂製の風呂用マットレス。
【請求項２】
少なくとも一部を形状記憶樹脂製部材とする風呂用マットレスにおいて、請求項１記載の形状記憶樹脂製部材のうち一部、或いは全部に形状記憶樹脂製材を用いたことを特徴とする風呂用マットレス。
【請求項３】
請求項２記載の風呂用マットレスにおいて、請求項２記載の形状記憶樹脂製材は、温水使用環境下でガラス転移点を示すポリマー構造材料からなることを特徴とする風呂用マットレス。
【発明の詳細な説明】
【技術分野】
【０００１】
本発明は、温水使用環境下でガラス転移点を示すポリマー構造材料からなる複数の形状記憶樹脂の基本特性を活かし、耐久性及び適用性に優れた形状記憶樹脂製部材と、それを使用した風呂用マットレスに関するものである。
【背景技術】
【０００２】
一般に、ポリマー（例えばポリエチレンやポリプロピレン、ポリ塩化ビニル、ポリアド、ポリエステル等が挙げられる）は、比較的単純な構成単位が多数つながってできている、その形状は長い鎖状の構造をしている、ポリマーの安定したかたちは、長い鎖が団子状にからまって固体となったガラス状態にある。このガラスに熱が加わってガラス転移点に達すると分子間の結合がゆるんで溶けはじめる、ただ鎖の結晶体が持つ融点はガラス状態より高いためポリマー全体として溶けることなく軟らかくなる。
【０００３】
例えば樹脂が溶融する温度で成形し、温度を下げてゆくと樹脂の分子の一部同士がくっつき微結晶をつくることで形が固定される、この形に最初の溶融温度に熱すると、いったん付与した記憶は消失して別の形の記憶を与えることができる、この顕著な形状記憶効果を利用したのが形状記憶樹脂で医療用カーテル、玩具、フイルム、塗料、衣服など広く実用化されている。従来、風呂用マットレスは子供や大人の健常者が風呂の中で体を洗うときに座り樹脂板や木製の簀子が使用されている。
【特許文献２】特開平１１−４６９１１号公報
【発明の開示】
【発明が解決しようとする課題】
【０００４】
しかし、従来の風呂用マットレスでは以下の問題があった。
母親が幼児を抱えて入浴する場合、湯船に入る時も湯船から出て幼児を洗う場合も常に幼児を母親は抱きかかえていなければならず、母親自体の体を洗うことができなかった、また片手で幼児を抱き、もう一方の手で幼児を洗うことは難しく、石鹸が手や体に附着して手が滑って幼児を落とすこともあった、そのため幼児を安全に座らせることができる風呂用マットレスが望まれていた。
【０００５】
また、障害者や老人が入浴する時、従来の風呂用マットレスでは後ろや左右に倒れたり滑るなどの問題があり、看護施設では入浴時の怪我が多いことが以前から指摘されていた。
【０００６】
電動式の入浴装置が実用化されているが、装置そのものが高価で主に寝たきり老人施設で使用されており、大半の施設では看護人の手助けに負うところが多い、そのため看護人に体を洗ってもらうときに安全に腰掛けることができる風呂用マットレスが望まれていた、また長時間座っていても軟らかくソフトでフィット感が望まれていた。
【０００７】
従来、樹脂製の風呂用マットレスが使用されているが単なる平板の敷きマットで、安全に快適に座ることは出来なかった。
【０００８】
本発明は、かかる問題点を解決すべくなされたもので、その技術的課題は、形状記憶樹脂の基本特性を活かし、耐久性及び適用性に優れた形状記憶樹脂製部材と、それを使用した風呂用マットレス部材とを提供することにある。
【課題を解決するための手段】
【０００９】
本発明は、上記目的を達成するため、請求項１記載の発明は、温水使用環境下でガラス転移点を示すポリマー構造材料からなる形状記憶樹脂を用いて形成した形状記憶樹脂製材と、該形状記憶樹脂製材に結合された部材を含むことを特徴とする。
【００１０】
また、請求項２記載の発明は、請求項１記載の発明において、少なくとも一部を形状記憶樹脂製部材とする風呂用マットレスにおいて、請求項１記載の形状記憶樹脂製部材のうち一部、或いは全部に形状記憶樹脂製材を用いたことを特徴とする。
【００１１】
また、請求項３記載の発明は、請求項２記載の風呂用マットレスにおいて、請求項２記載の形状記憶樹脂製材は、温水使用環境下でガラス転移点を示すポリマー構造材料からなることを特徴とする。
【発明の効果】
【００１２】
本発明は、形状記憶樹脂の基本特性を維持し、形状のバリエーションに富むと共に、耐久性に優れ、しかも適用性の高い形状記憶樹脂製材から成る形状記憶樹脂製部材が得られる。特に、この形状記憶樹脂製部材を風呂用マットレス部材に用いると、従来の樹脂版や木製簀子では得難かった使用者が安全に座りソフトでフィットさせることが図られるようになる。
【発明を実施するための最良の形態】
【００１３】
風呂用マットレスに形状記憶樹脂を使用して、使用者が安全に座りソフトでフィットさせることを実現した。
【実施例】
【００１４】
以下に実施例を挙げ、本発明の形状記憶樹脂製部材及びそれを使用した風呂用マットレス部材について、図面を参照して詳細に説明する。
本発明の形状記憶樹脂製部材は、温水使用環境下でガラス転移点を示すポリマー構造材料からなる形状記憶樹脂を用いて形成した形状記憶樹脂製材を一部，或いは全部に使用したもので、その形状記憶樹脂製部材に風呂用マットレス部材が挙げられる。
【００１５】
風呂用マットレス部材の場合、少なくとも一部を形状記憶樹脂製部材とするもので、更にこの形状記憶樹脂製部材のうちの一部，或いは全部に温水使用環境下でガラス転移点を示すポリマー構造材料を使用するものである。
【００１６】
そこで、以下は形状記憶樹脂製材を含む形状記憶樹脂製部材とそれを使用した風呂用マットレス部材について具体的に説明する。
図１と図２は、この発明に係わる形状記憶樹脂製風呂用マットレスの実施例を示す斜視図と側面図である。身体に直接当たる部分はポリマー構造材料からなる形状記憶樹脂２で出来ていて、温水で変形する性質を持っているので、使用者３が風呂用マットレス１に座り温水をかけると形状記憶樹脂２が柔らかになり使用者３の身体を包み込む、温水の温度が高くなるほど形状記憶樹脂２は軟らかくなるが溶けることはない、使用者３が座っている限り固定化されることはない。
【００１７】
形状固定性の台座４は温水で形が変化しない材質を用いる、台座４の底面はタイルなどで滑らないゴム材５を貼着する。台座４は使用者３が長時間座っていても疲れないために頭、背中、足などの部分が形状記憶樹脂２に密着する構造で、温水と体温によって形状記憶樹脂２が軟らかくなって使用者３の身体にフィットし身体を軟らかく包むことで快適さを感じる、ただし形状記憶樹脂２の厚みは顔が埋まりこまない厚みである。
【００１８】
例えば形状記憶樹脂２のガラス転移点の材質を断層ごとに変えるとソフト感とフィット感が増す、また風呂用マットレス１は使用者の年齢や状態に合わせて形状を変えてもよいし、後ろに支え棒や補助台を設置してもよい、また簡易ベットを折り曲げて、その上に置いてもよい、また形状固定性の台座４の材質を比重の重い材質で形成すれば湯船に入れて使用することも可能である。
【００１９】
また台座４に回転台を付着すれば左右に回せることで機能性がます、また台座４に微弱電気を流す機能や加温機能を付着すれば腰痛や肩こり等の治療の効果を上げることもできる。
【産業上の利用可能性】
【００２０】
本発明は、温水使用環境下でガラス転移点を示すポリマー構造材料からなる形状記憶樹脂を用いて形成した形状記憶樹脂製材を一部，或いは全部に使用したもので、その形状記憶樹脂製部材を使用した風呂用マットレスの用途に適用できる。
【図面の簡単な説明】
【００２１】
【図１】この発明に係わる風呂用マットレスの実施の形態を示す斜視図である。
【図２】この発明に係わる風呂用マットレスの実施の形態を示す側面図である。
【符号の説明】
【００２２】
１    風呂用マットレス
２    形状記憶樹脂
３    使用者
４    台座
５    ゴム材
【図１】
2005154610.tif 000003
【図２】
2005154610.tif 000004